(57)【要約】【課題】端末装置に対して最適なリソースの割り当てを行うことが可能な基地局装置、及び無線リソース割り当て方法を提供すること。【解決手段】端末装置と無線通信を行う基地局装置において、参照信号とデータとを前記端末装置へ送信する送信部と、前記参照信号に基づいて前記端末装置において測定された無線品質を示す品質情報と、前記データに対する応答情報とを、前記端末装置から受信する受信部と、前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループを割当てるか否かを決定するスケジューラ部とを備え、前記送信部は割当結果を含む制御情報を前記端末装置へ送信する。【選択図】図１６
2018142900.tif 000002
【特許請求の範囲】
【請求項１】
端末装置と無線通信を行う基地局装置において、
参照信号とデータとを前記端末装置へ送信する送信部と、
前記参照信号に基づいて前記端末装置において測定された無線品質を示す品質情報と、前記データに対する応答情報とを、前記端末装置から受信する受信部と、
前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループを割当てるか否かを決定するスケジューラ部とを備え、
前記送信部は割当結果を含む制御情報を前記端末装置へ送信することを特徴とする基地局装置。
【請求項２】
前記スケジューラ部は、前記第１の期間において、前記端末装置において前記データを正しく正常に受信できなかったことを示す否定応答情報を受信したとき、前記端末装置において前記データを正しく受信したことを示す肯定応答情報の受信回数のカウント結果を「０」にするカウント部を備え、
前記カウント部は、前記肯定応答情報の受信回数のカウント結果を、前記応答情報の受信回数としてカウントすることを特徴とする請求項１記載の基地局装置。
【請求項３】
前記スケジューラ部は、前記第１の期間において、前記端末装置において前記データを正常に受信できなかったことを示す否定応答情報を受信したとき、前記端末装置において前記データを正しく受信したことを示す肯定応答情報の受信回数のカウント結果をデクリメントするカウント部を備え、
前記カウント部は、前記肯定応答情報の受信回数のカウント結果を、前記応答情報の受信回数としてカウントすることを特徴とする請求項１記載の基地局装置。
【請求項４】
前記スケジューラ部は、前記第１の期間において、前記端末装置において前記データを正しく受信できなかったことを示す否定応答情報を連続して受信したとき、前記端末装置において前記データを正しく受信したことを示す肯定応答情報の受信回数のカウント結果に対して連続して受信した前記否定応答情報の受信回数を減算するカウント部を備え、
前記カウント部は、前記肯定応答情報の受信回数のカウント結果を、前記応答情報の受信回数としてカウントすることを特徴とする請求項１記載の基地局装置。
【請求項５】
前記スケジューラ部は、前記第１の期間において、前記端末装置において前記データを正しく受信できなかったことを示す否定応答情報を連続して閾値より多く受信したとき、前記端末装置において前記データを正しく受信したことを示す肯定応答情報の受信回数のカウント結果を「０」にするカウント部を備え、
前記カウント部は、前記肯定応答情報の受信回数のカウント結果を、前記応答情報の受信回数としてカウントすることを特徴とする請求項１記載の基地局装置。
【請求項６】
前記スケジューラ部は、前記品質情報と前記受信回数に対して前記品質情報を受信したときからの経過時間に応じて重み付けを行う第１の優先度処理部を備え、
前記スケジューラ部は、重み付けされた前記品質情報と前記受信回数に基づいて、前記端末装置に対して前記リソースブロックグループを割り当てることを特徴とする請求項１記載の基地局装置。
【請求項７】
前記第１の優先度処理部は、重み付けした前記品質情報と前記受信回数を前記端末装置毎に加算した第１の優先度を計算し、
前記スケジューラ部は、前記第１の優先度の大きい前記端末装置から順番に前記端末装置に対して前記リソースブロックグループを割り当てることを特徴とする請求項６記載の基地局装置。
【請求項８】
前記スケジューラ部は、前記第１の優先度の大きい前記端末装置から順番に、前記第１の周波数帯域における前記品質情報と、前記リソースブロックグループ毎の前記受信回数とに対して、前記品質情報を受信したときからの経過時間に応じて重み付けを行う第２の優先度処理部を備え、
前記スケジューラ部は、重み付けされた前記品質情報と前記受信回数に基づいて、前記端末装置に対して前記リソースブロックグループを割り当てることを特徴とする請求項７記載の基地局装置。
【請求項９】
前記第２の優先度処理部は、重み付けした前記品質情報と前記受信回数を加算した第２の優先度を計算し、
前記スケジューラ部は、前記第１の優先度の大きい前記端末装置から順番に、かつ、前記第２の優先度の大きい前記リソースブロックから順番に、前記端末装置に対して当該リソースブロックを割り当てることを特徴とする請求項８記載の基地局装置。
【請求項１０】
送信部と、受信部、及びスケジューラ部を有し、端末装置と無線通信を行う基地局装置における無線リソース割当方法であって、
前記送信部により、参照信号とデータとを前記端末装置へ送信し、
前記受信部により、前記参照信号に基づいて前記端末装置において測定された無線品質を示す品質情報と、前記データに対する応答情報とを、前記端末装置から受信し、
前記スケジューラ部により、前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループを割当てるか否かを決定し、
前記送信部により、割当結果を含む制御情報を前記端末装置へ送信する、
ことを特徴とする無線リソース割当方法。
【発明の詳細な説明】
【技術分野】
【０００１】
本発明は、基地局装置、及び無線リソース割当方法に関する。
【背景技術】
【０００２】
現在、標準化団体である３ＧＰＰ（3rd Generation Partnership Project）では、大容量で高速の無線通信システムの技術として、ＬＴＥ（Long Term Evolution）及びＬＴＥ−Ａｄｖａｎｃｅｄの後継システムについて検討を開始している。このような無線通信システムは第５世代移動通信（5G:the 5th Generation mobile communication）と呼ばれている。また、日本においてはＬＴＥ−Ａｄｖａｎｃｅｄ技術の一つであるＣＡ（Carrier Aggregation）を用いたサービスが２０１５年より本格的に導入され、２００Ｍｂｐｓを超えた伝送速度で無線通信が可能となっている。
【０００３】
無線通信システムにおいては、無線基地局装置（以下、「基地局」と称する場合がある。）が端末装置（以下、「端末」と称する場合がある。）に対して割り当てた無線リソースを利用して、基地局と端末は無線通信を行う。この場合、端末は、基地局から送信された参照信号に基づいて無線伝搬路の品質を測定し、品質情報をＣＱＩ（Channel Quality Indicator）として基地局へ報告する。基地局は、ＣＱＩに基づいて、ＲＢＧ（Resource Block Group）を各端末に割り当てることで、無線リソースを割り当てている。なお、ＲＢＧは複数のリソースブロックを含み、１つのＲＢＧに含まれるリソースブロックの数は、システム周波数帯域幅によって異なるものとなっている。
【０００４】
ＣＱＩについては、Ｗｉｄｅｂａｎｄ  ＣＱＩとＳｕｂｂａｎｄ  ＣＱＩがある。Ｗｉｄｅｂａｎｄ  ＣＱＩは、例えば、システム周波数帯域全体の品質情報を表している。Ｗｉｄｅｂａｎｄ  ＣＱＩは、例えば、事前に設定された周期で自発的に端末が基地局へ報告するＣＱＩとなっている。Ｗｉｄｅｂａｎｄ  ＣＱＩは、Ｐｅｒｉｏｄｉｃ  ＣＱＩ（周期ＣＱＩ）と称される場合がある。
【０００５】
一方、Ｓｕｂｂａｎｄ  ＣＱＩは、例えば、システム周波数帯域を分割した１つ１つの帯域の品質情報を表している。Ｓｕｂｂａｎｄ  ＣＱＩは、例えば、基地局から送信されたＣＱＩ  Ｒｅｑｕｅｓｔで指定された周期で端末が基地局へ報告するＣＱＩとなっている。Ｓｕｂｂａｎｄ  ＣＱＩは、Ａｐｅｒｉｏｄｉｃ  ＣＱＩ（非周期ＣＱＩ）と称される場合がある。
【０００６】
このようなＣＱＩに基づいて、基地局が各端末に対して各ＲＢＧを割り当てることで、例えば、基地局と端末の無線通信に関してスループットの向上を図ることが可能となる。
【０００７】
無線通信に関する技術として、例えば、以下がある。すなわち、ＡＣＫ（Acknowledgement）信号が出力されるまでに出力されたデータの再送回数を通信モード毎に計数し、当該再送回数と再送回数の所定の閾値とを比較し、比較結果に基づいて通信モードテーブルの内容を書き換える通信端末装置がある。
【０００８】
この技術によれば、パイロット信号から測定した下り回線の回線品質に基づいて各通信端末に通信リソースが時分割で割り振られる通信システムにおいて下り回線のスループットの低下を防止できる、とされる。
【０００９】
また、送信１回目と２回目は移動局からフィードバックされたＣＱＩを基にリソース割当形式としてＬＲＢ（Localized Resource Block）方式が選択され、送信３回目以降は、ＤＲＢ（Distributed Resource Block）形式を用いてリソース割り当てを行う無線通信システムがある。
【００１０】
この技術によれば、再送制御において受信品質を向上させることができる、とされる。
【００１１】
さらに、複数のリソースブロックを複数のグループに分割し、グループ毎にチャネル品質が相対的に良好な所定個数のリソースブロックの品質情報と、所定個数のリソースブロックのグループ内における位置を示す位置情報とを基地局へ送信する無線通信端末がある。
【００１２】
この技術によれば、ＣＱＩの情報量を削減しつつ、リソース割り当てのスケジューリングの自由度を確保することが可能となる、とされる。
【先行技術文献】
【特許文献】
【００１３】
【特許文献１】特開２００２−６４４２４号公報
【特許文献２】再表２００７−１０８４７３号公報
【特許文献３】特開２００９−２３１９０８号公報
【発明の概要】
【発明が解決しようとする課題】
【００１４】
しかしながら、上述した、再送回数と再送回数の所定の閾値とを比較した比較結果に基づいて通信モードテーブルの内容を書き換える技術は、どの周波数帯域での再送回数を対象としているのかは議論されていない。従って、端末に割り当てられた周波数リソースによっては、良好な周波数リソースもあれば良好でない周波数リソースもあり、再送回数は多くなったり少なくなったりする場合がある。よって、かかる技術では、通信モードテーブルが書き換えられても、端末に対して最適なリソースの割り当てが行われない場合がある。
【００１５】
また、送信１回目と２回目はＬＲＢ方式、３回目以降はＤＲＢ形式でリソース割り当てを行う技術は、再送が行われる場合の方式や形式に関する技術である。したがって、かかる技術も、端末に対して最適なリソースを割り当てることに関しては何ら開示されていない。
【００１６】
さらに、グループ毎にチャネル品質が相対的に良好な所定個数のリソースブロックの品質情報を端末が基地局へ送信する技術も、所定個数の品質情報であっても全端末で良好なリソースブロックが共通する場合がある。この場合、基地局はある端末にそのリソースブロックを割り当てると他の端末にリソースブロックを割り当てることができなくなる。よって、かかる技術も、各端末に対して最適なリソースを割り当てることができない場合がある。
【００１７】
そこで、一開示は、端末装置に対して最適なリソースの割り当てを行うことが可能な基地局装置、及び無線リソース割り当て方法を提供することにある。
【課題を解決するための手段】
【００１８】
一態様によれば、端末装置と無線通信を行う基地局装置において、参照信号とデータとを前記端末装置へ送信する送信部と、前記参照信号に基づいて前記端末装置において測定された無線品質を示す品質情報と、前記データに対する応答情報とを、前記端末装置から受信する受信部と、前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループを割当てるか否かを決定するスケジューラ部とを備え、前記送信部は割当結果を含む制御情報を前記端末装置へ送信する。
【発明の効果】
【００１９】
一開示によれば、端末装置に対して最適な無線リソースの割り当てを行うことができる。
【図面の簡単な説明】
【００２０】
【図１】図１は無線通信システムの構成例を表す図である。
【図２】図２は基地局の構成例を表す図である。
【図３】図３（Ａ）は基地局、図３（Ｂ）は端末のハードウェア構成例を夫々表す図である。
【図４】図４（Ａ）と図４（Ｂ）は下りデータの送信例を表す図である。
【図５】図５はＷｉｄｅｂａｎｄ  ＣＱＩとＳｕｂｂａｎｄ  ＣＱＩの例を夫々表す図である。
【図６】図６はシーケンス例を表す図である。
【図７】図７はシーケンス例を表す図である。
【図８】図８はシーケンス例を表す図である。
【図９】図９はＡＣＫカウンタの構成例を表す図である。
【図１０】図１０（Ａ）と図１０（Ｂ）はＡＣＫ履歴テーブルの構成例を表す図である。
【図１１】図１１はＡＣＫカウンタの演算動作例を表すフローチャートである。
【図１２】図１２はＡＣＫカウンタの演算動作例を表すフローチャートである。
【図１３】図１３はＡＣＫカウンタの演算動作例を表すフローチャートである。
【図１４】図１４は連続ＮＡＣＫカウンタの構成例を表す図である。
【図１５】図１５はＡＣＫカウンタの演算動作例を表すフローチャートである。
【図１６】図１６は優先度の演算動作とＲＢＧの割当動作の例を表すフローチャートである。
【図１７】図１７は優先度の演算動作とＲＢＧの割当動作の例を表すフローチャートである。
【図１８】図１８（Ａ）は重み付け、図１８（Ｂ）はＲＢＧの割当の例を夫々表す図である。
【図１９】図１９は無線通信システムの構成例を表す図である。
【発明を実施するための形態】
【００２１】
以下、本発明を実施するための形態について説明する。なお、以下の実施例は開示の技術を限定するものではない。そして、各実施の形態は、処理内容を矛盾させない範囲で適宜組み合わせることが可能である。
【００２２】
［第１の実施の形態］
＜無線通信システムの構成例＞
図１は第１の実施の形態における無線通信システム１０の構成例を表す図である。無線通信システム１０は、無線基地局装置（ｅＮＢ（evolved Node B）。以下、「基地局」と称する場合がある。）１００と、複数の無線装置（ＲＥ（Radio Equipment））２００−１，２００−２を備える。また、無線通信システム１０は、ユーザ端末装置（ＵＥ（User Equipment）。以下、「端末」と称する場合がある。）４００とコアネットワーク５００を備える。
【００２３】
なお、基地局１００と無線装置２００−１，２００−２、及びアンテナ３００−１〜３００−４により、１つの基地局となっていてもよい。
【００２４】
基地局１００は、例えば、コアネットワーク５００から送信された端末４００宛のデータを受信し、受信したデータに対して誤り訂正符号化処理（以下、「符号化処理」と称する場合がある。）や変調処理などを施して変調信号へ変換する。基地局１００は、変調信号を、無線装置２００−１，２００−２へ出力する。
【００２５】
また、基地局１００は、無線装置２００−１，２００−２から出力されたベースバンド帯域のベースバンド信号を受け取り、受け取ったベースバンド信号に対して復調処理や誤り訂正復号化処理（以下、「復号化処理」と称する場合がある。）などを施す。基地局１００は、復号化処理により、端末４００から送信されたデータなどを抽出し、抽出したデータをコアネットワーク５００へ出力する。
【００２６】
各無線装置２００−１，２００−２は、基地局１００から出力された変調信号を受け取り、受け取った変調信号に対して周波数変換処理やＤ／Ａ（Digital to Analogue）変換処理などを施して、無線信号へ変換する。各無線装置２００−１，２００−２は、変換した無線信号をアンテナ３００−１〜３００−４を介して端末４００へ送信する。
【００２７】
また、各無線装置２００−１，２００−２は、アンテナ３００−１〜３００−４を介して端末４００から送信された無線信号を受信し、受信した無線信号に対してＡ／Ｄ変換処理や周波数変換処理などを施して、ベースバンド帯域のベースバンド信号へ変換する。各無線装置２００−１，２００−２はベースバンド信号を基地局１００へ送信する。
【００２８】
なお、例えば、基地局１００に１台の無線装置２００−１が接続されてもよいし、３台以上の無線装置２００−１，２００−２，…が接続されてもよい。以下において、無線装置２００−１，２００−２を、例えば、無線装置２００と称する場合がある。
【００２９】
端末４００は、アンテナ４０１−１，４０１−２を介して無線信号を受信し、受信した無線信号に対して周波数変換処理や復調処理などを施すことで、データなどを抽出する。また、端末４００は、データなどに対して変調処理や周波数変換処理などを施すことでデータを無線信号へ変換し、アンテナ４０１−１，４０１−２を介して無線装置２００へ無線信号を送信する。
【００３０】
基地局１００は、端末４００と無線通信を行う際に、端末４００に対して無線リソースを割り当てる。無線リソースは、例えば、周波数リソースと時間リソースを含む。本第１の実施の形態では、基地局１００は、無線リソースとしてＲＢＧ（Resource Block Group）を端末４００に割り当てる。ＲＢＧは、上述したように、例えば、複数のＲＢ（Resource Block）を含み、１つのＲＢＧに含まれるＲＢの数はシステム周波数帯域幅によって異なるものとなっている。なお、１つのＲＢは、時間方向に７つのＯＦＤＭ（Orthogonal Frequency Division Multiplexing）シンボルを含み、周波数方向に１２個のサブキャリアを含むものとなっている。
【００３１】
基地局１００は、端末４００からフィードバックされたＣＱＩに基づいて、各ＲＢＧを端末４００に割り当てる。ＣＱＩは、例えば、端末４００において測定された無線伝搬路の品質情報である。基地局１００は、予め決められた無線リソースを利用して参照信号を送信し、端末４００は受信した参照信号に基づいて品質情報を測定し、測定した品質情報をＣＱＩとして基地局１００へフィードバックしている。
【００３２】
基地局１００は、割り当てた無線リソースの結果を含む制御情報を、無線装置２００を介して端末４００へ送信している。端末４００は、無線信号から制御情報を抽出し、制御情報に基づいて自局に割り当てられたＲＢＧを確認する。端末４００は当該ＲＢＧを利用して受信したデータを無線信号から抽出することで、自局宛のデータを抽出することが可能となる。
【００３３】
基地局１００で行われる無線リソースの割り当て処理のことを、例えば、スケジューリング処理又はスケジューリングと称する場合がある。
【００３４】
＜基地局の構成例＞
図２は基地局１００の構成例を表す図である。基地局１００は、Ｌａｙｅｒ２（レイヤ２）処理部１１０と、スケジューラ部１２０、及びＬａｙｅｒ１（レイヤ１）処理部１４０を備える。
【００３５】
Ｌａｙｅｒ２処理部１１０は、ＰＤＣＰ（Packet Data Convergence Protocol）レイヤ処理部１１１、バッファ管理部１１２、バッファ１１３、ＲＬＣ（Radio Link Control）レイヤ処理部１１４を備える。
【００３６】
ＰＤＣＰレイヤ処理部１１１は、コアネットワーク５００から送信されたデータ（以下、「下りデータ」と称する場合がある。）を受信し、受信した下りデータに対してＰＤＣＰレイヤに関する処理を行い、ＰＤＣＰデータへ変換する。ＰＤＣＰレイヤに関する処理として、例えば、所定のパケットフォーマットとなっている下りデータに対してヘッダの圧縮処理や、改ざん防止用の秘匿処理などがある。ＰＤＣＰレイヤ処理部１１１は、ＰＤＣＰデータをバッファ管理部１１２へ出力する。
【００３７】
バッファ管理部１１２は、例えば、ＰＤＣＰデータに対して、所定の長さのＲＬＣデータに変換し、変換後のＲＬＣデータをバッファ１１３に記憶する。また、バッファ管理部１１２は、変換後のＲＬＣデータをＲＬＣレイヤ処理部１１４へ出力する。バッファ管理部１１２は、端末４００へのデータ転送が完了するまで、バッファ１１３に記憶されたＲＬＣデータを保持及び管理する。
【００３８】
バッファ１１３はＲＬＣデータを記憶する。バッファ１１３は、バッファ管理部１１２により記憶したＲＬＣデータが適宜読み出し可能となっている。
【００３９】
ＲＬＣレイヤ処理部１１４は、例えば、ＲＬＣデータなどに基づいて送信ＵＥ情報を生成し、生成した送信ＵＥ情報をスケジューラ部１２０へ出力する。そして、ＲＬＣレイヤ処理部１１４は、送信ＵＥ情報に対する応答として送信ＵＥ選択結果通知をスケジューラ部１２０から受け取ると、バッファ管理部１１２から受け取ったＲＬＣデータをＭＡＣレイヤ処理部１４１へ出力する。
【００４０】
送信ＵＥ情報は、例えば、下りデータの送信対象となる端末４００の台数に関する情報を含む。例えば、ＲＬＣレイヤ処理部１１４が１００台の端末分（又は１００ユーザ分）の下りデータを受け取った場合、送信ＵＥ情報には端末４００の台数として１００台であることを示す情報が含まれる。
【００４１】
また、送信ＵＥ選択結果通知は、例えば、スケジューリングの結果、ＲＢＧが割り当てられた端末４００の台数に関する情報が含まれる。例えば、１００台の端末分の下りデータに対して、スケジューリングの結果、５０台の端末４００の下りデータに対してＲＢＧの割り当てが行われた場合、送信ＵＥ選択結果通知には、５０台の端末４００に対してＲＢＧが割り当てられたことを示す情報が含まれる。
【００４２】
スケジューラ部１２０は、送信ＵＥ選択部１２１と、ＵＥ優先度処理部１２２、ＲＢＧ優先度処理部１２３、ＲＢＧ割り当て部１２４、ＭＣＳ選択部１２５を備える。また、スケジューラ部１２０は、ＣＱＩ処理部１２６、ＣＱＩメモリ１２７、ＡＣＫ（Acknowledgement）／ＮＡＣＫ（Negative Acknowledgement）処理部１２８、ＡＣＫ／ＮＡＣＫカウント部１２９、及びＡＣＫカウンタ１３０を備える。
【００４３】
送信ＵＥ選択部１２１は、Ｌａｙｅｒ２処理部１１０から受け取った送信ＵＥ情報に対して、実際に下りデータの送信を行う１又は複数の端末４００を選択する。例えば、基地局１００からの下りデータの送信において、システム周波数帯域幅に基づいて１回の無線リソースの割り当てにより割り当て可能な（又は同時送信可能な）端末４００の上限数は決まっている。送信ＵＥ選択部１２１は、上限数に基づいて、送信対象となる端末４００を選択する。例えば、送信ＵＥ選択部１２１は、５０台の端末４００分の下りデータが存在することを送信ＵＥ情報から取得したとき、上限数に基づいて２５台の端末４００を送信対象の端末４００として選択する。
【００４４】
送信ＵＥ情報に上限数以上の端末４００の台数が存在する場合、送信ＵＥ選択部１２１は、基地局１００に対する各端末４００の接続順、基地局１００がコアネットワーク５００から下りデータを受け取った順、或いは任意に選択してもよい。送信ＵＥ選択部１２１は、選択した送信対象の端末４００に関する情報をＵＥ優先度処理部１２２へ出力する。
【００４５】
ＵＥ優先度処理部（又は第１の優先度処理部）１２２は、送信対象の端末４００に対して、Ｗｉｄｅｂａｎｄ  ＣＱＩとＡＣＫカウンタ１３０に基づいて、端末４００の優先度（又は第１の優先度）を算出する。優先度の算出方法は動作例で説明する。ＵＥ優先度処理部１２２は、各端末４００の優先度と送信対象の端末４００に関する情報とをＲＢＧ優先度処理部１２３へ出力する。
【００４６】
ＲＢＧ優先度処理部（又は第２の優先度処理部）１２３は、ＵＥ優先度処理部１２２で算出された優先度に対して、優先度の高い端末４００から順番に、各端末４００において無線リソースとして利用可能な１又は複数のＲＢＧの１つ１つに対して優先度（又は第２の優先度）を算出する。この際、ＲＢＧ優先度処理部１２３は、Ｓｕｂｂａｎｄ  ＣＱＩとＡＣＫカウンタ１３０に基づいて、ＲＢＧの優先度を算出する。ＲＢＧの優先度の算出方法は動作例で説明する。ＲＢＧ優先度処理部１２３は、各端末４００の優先度、ＲＢＧ毎の優先度、及び送信対象の端末４００に関する情報をＲＢＧ割り当て部１２４へ出力する。
【００４７】
ＲＢＧ割り当て部１２４は、ＵＥ優先度処理部１２２で算出された優先度の高い端末４００から順番に、各端末４００においてＲＢＧ優先度処理部１２３で算出したＲＢＧの高い順に、ＲＢＧを割り当てる。詳細については動作例で説明する。ＲＢＧ割り当て部１２４は、割り当てたＲＢＧに関する割り当て情報と、送信対象の端末４００に関する情報とをＭＣＳ選択部１２５へ出力する。
【００４８】
ＭＣＳ選択部１２５は、各端末４００に対して下りデータを送信する際のＭＣＳ（Modulation and Coding Scheme）を選択する。ＭＣＳ選択部１２５は、ＷｉｄｅｂａｎｄＣＱＩやＳｕｂｂａｎｄ  ＣＱＩに基づいてＭＣＳを選択してもよい。ＭＣＳ選択部１２５は、例えば、割り当て情報と選択したＭＣＳに関するＭＣＳ選択情報とを含む制御情報を生成し、生成した制御情報をＬａｙｅｒ１処理部１４０へ出力する。
【００４９】
ＣＱＩ処理部１２６は、Ｌａｙｅｒ１処理部１４０のＣＱＩ判定部１４６から出力されたＷｉｄｅｂａｎｄ  ＣＱＩとＳｕｂｂａｎｄ  ＣＱＩを受け取り、受け取ったこれらのＣＱＩをＣＱＩメモリ１２７へ記憶する。
【００５０】
ＣＱＩメモリ１２７は、Ｗｉｄｅｂａｎｄ  ＣＱＩとＳｕｂｂａｎｄ  ＣＱＩを記憶する。ＣＱＩメモリ１２７は、ＵＥ優先度処理部１２２やＲＢＧ優先度処理部１２３により、記憶されたこれらのＣＱＩが適宜読み出されることが可能となっている。
【００５１】
ＡＣＫ／ＮＡＣＫ処理部１２８は、ＡＣＫ／ＮＡＣＫ判定部１４７から出力されたＡＣＫ又はＮＡＣＫの判定結果を受け取り、その判定結果をバッファ管理部１１２とＡＣＫ／ＮＡＣＫカウント部１２９へ出力する。バッファ管理部１１２では、ＡＣＫの判定結果を受け取ると、ＡＣＫ対象のＲＬＣデータ（又は再送データ）をバッファ１１３から削除し、ＮＡＣＫの判定結果を受け取ると、ＮＡＣＫ対象のＲＬＣデータをバッファ１１３から読み出して、端末４００へ向けて再送する。
【００５２】
なお、例えば、ＡＣＫは肯定応答情報を表し、ＮＡＣＫは否定応答情報を表す。端末４００は、基地局１００から送信されたデータを正しく受信したとき、ＡＣＫを基地局１００へ送信し、正しく受信できなかったとき、ＮＡＣＫを基地局１００へ送信する。
【００５３】
ＡＣＫ／ＮＡＣＫカウント部（又はカウント部）１２９は、ＡＣＫ／ＮＡＣＫ処理部１２８から出力されたＡＣＫの判定結果とＮＡＣＫの判定結果をカウントし、カウントした結果を示すＡＣＫカウント値をＡＣＫカウンタ１３０に記憶する。その際、ＡＣＫ／ＮＡＣＫカウント部１２９は、例えば、所定期間内において、ＮＡＣＫの判定結果を考慮して、ＡＣＫの判定結果をカウントする。演算方法については動作例で説明する。ＡＣＫ／ＮＡＣＫ処理部１２８は、カウントしたカウント値を示すＡＣＫカウント値をＡＣＫカウンタ１３０へ記憶する。
【００５４】
ＡＣＫカウンタ（又は第１のカウンタ）１３０は、ＡＣＫ／ＮＡＣＫカウント部１２９でカウントされたＡＣＫカウント値を記憶する。ＡＣＫカウンタ１３０は、例えば、テーブル形式でＡＣＫカウント値を記憶し、メモリ内の所定領域に保持される。詳細は動作例で説明する。ＡＣＫカウンタ１３０は、ＵＥ優先度処理部１２２とＲＢＧ優先度処理部１２３により適宜、保持したＡＣＫカウント値が読み出されることが可能となっている。
【００５５】
図２に戻り、ＡＣＫ／ＮＡＣＫカウント部１２９は、例えば、所定期間内において連続してＮＡＣＫをカウントしたとき、そのカウント値を連続ＮＡＣＫカウント値として連続ＮＡＣＫカウンタ１３１に記憶する。連続ＮＡＣＫカウンタ（又は第２のカウンタ）１３１は、例えば、テーブル形式で連続ＮＡＣＫカウント値を記憶する。連続ＮＡＣＫカウンタ１３１は、例えば、ＡＣＫカウンタ１３０を記憶するメモリと同一のメモリに保持されてもよいし、異なるメモリに保持されてもよい。詳細は動作例で説明する。
【００５６】
Ｌａｙｅｒ１処理部１４０は、ＭＡＣレイヤ処理部１４１、符号化処理部１４２、変調部１４３を備える。また、Ｌａｙｅｒ１処理部１４０は、復調部１４４、復号化処理部１４５、ＣＱＩ判定部１４６、及びＡＣＫ／ＮＡＣＫ判定部１４７を備える。
【００５７】
ＭＡＣレイヤ処理部１４１は、例えば、ＭＣＳ選択部１２５から制御情報を受け取り、ＲＬＣレイヤ処理部１１４からＲＬＣデータを受け取り、これらを多重化するなどしてＭＡＣデータへの変換を行う。ＭＡＣレイヤ処理部１４１は、ＭＡＣデータと制御情報とを符号化処理部１４２へ出力する。
【００５８】
符号化処理部１４２は、制御情報に基づいて、ＭＡＣデータに対して符号化処理を施し、符号化データを生成する。符号化処理部１４２は、符号化データと制御情報とを変調部１４３へ出力する。
【００５９】
変調部１４３は、制御情報に基づいて、符号化データに対して変調処理を施し、変調信号を生成する。変調部１４３は、生成した変調信号を無線装置２００へ出力する。
【００６０】
復調部１４４は、無線装置２００から出力されたベースバンド信号を受け取り、受け取ったベースバンド信号に対して、復調処理を施し、端末４００から送信されたデータなどを抽出する。復調部１４４は、例えば、ＭＣＳ選択部１２５で選択されたＭＣＳに従って復調処理を行う。復調部１４４は、抽出したデータなどを復号化処理部１４５へ出力する。
【００６１】
復号化処理部１４５は、復調部１４４から受け取ったデータなどに対して誤り訂正復号化処理を施して、データなどを復号する。復号化処理部１４５も、例えば、ＭＣＳ選択部１２５で選択されたＭＣＳに従って復号化処理を行う。復号化処理部１４５は復号後のデータなどをＣＱＩ判定部１４６とＡＣＫ／ＮＡＣＫ判定部１４７へ出力する。
【００６２】
ＣＱＩ判定部１４６は、復号化処理部１４５から受け取ったデータなどから、Ｗｉｄｅｂａｎｄ  ＣＱＩやＳｕｂｂａｎｄ  ＣＱＩを判定する。例えば、以下の処理が行われる。すなわち、スケジューラ部１２０はどの無線リソースを用いてこれらのＣＱＩを報告すべきかをスケジューリングにより割り当てを行っている。ＣＱＩ判定部１４６はこの割り当て情報をスケジューラ部１２０から受け取る。そして、ＣＱＩ判定部１４６は、割り当て情報に基づいて、受信したデータなどを、Ｗｉｄｅｂａｎｄ  ＣＱＩやＳｕｂｂａｎｄ  ＣＱＩと判定する。ＣＱＩ判定部１４６は、判定したＷｉｄｅｂａｎｄ  ＣＱＩとＳｕｂｂａｎｄ  ＣＱＩをＣＱＩ処理部１２６へ出力する。
【００６３】
なお、例えば、Ｗｉｄｅｂａｎｄ  ＣＱＩは予め決められた報告周期ごとに自発的に端末４００から基地局１００へ報告され、Ｓｕｂｂａｎｄ  ＣＱＩはＣＱＩ  Ｒｅｑｕｅｓｔで指定した周期ごとに端末４００から基地局１００へ報告される。したがって、ＣＱＩ判定部１４６は、これらの周期に関する情報をスケジューラ部１２０から受け取り、周期に関する情報に基づいて、判定したＣＱＩがＷｉｄｅｂａｎｄ  ＣＱＩかＳｕｂｂａｎｄ  ＣＱＩかを識別することが可能である。
【００６４】
ＡＣＫ／ＮＡＣＫ判定部１４７は、復号化処理部１４５から受け取ったデータなどから、ＡＣＫまたはＮＡＣＫを判定する。この場合も、例えば、ＡＣＫ／ＮＡＣＫ判定部１４７は、スケジューラ部１２０から受け取った割り当て情報に基づいて、受信したデータなどを、ＡＣＫ又はＮＡＣＫであると判定することが可能である。さらに、例えば、ＡＣＫ／ＮＡＣＫ判定部１４７はデータ系列がＡＣＫを示す系列かＮＡＣＫを示す系列かにより、ＡＣＫとＮＡＣＫを識別してもよい。
【００６５】
なお、例えば、ＡＣＫは肯定応答を示す応答情報であって、ＮＡＣＫは否定応答を示す応答情報である。端末４００は、受信した下りデータに対して、正常に下りデータを受信したとき、ＡＣＫを生成し、正常に下りデータを受信できなかったとき、ＮＡＣＫを生成する。端末４００はＡＣＫ又はＮＡＣＫを基地局１００へ送信する。
【００６６】
なお、ＮＡＣＫについては、基地局１００では端末４００から受信しない場合もある。例えば、端末４００がＮＡＣＫを送信しても無線伝搬路の状況から基地局１００がＮＡＣＫを受信できなかったり、端末４００自身がＮＡＣＫを送信しなかったりする場合である。このような場合を考慮して、ＡＣＫ／ＮＡＣＫ判定部１４７は、例えば、所定期間内においてＡＣＫを受信しない場合、ＮＡＣＫを受信したことを示す判定結果をＡＣＫ／ＮＡＣＫ処理部１２８へ出力してもよい。
【００６７】
図２において、ＭＡＣレイヤ処理部１４１と符号化処理部１４２、及び変調部１４３は送信部１５０に含まれる。また、復調部１４４、復号化処理部１４５、ＣＱＩ判定部１４６、及びＡＣＫ／ＮＡＣＫ判定部１４７は受信部１５１に含まれる。
【００６８】
＜基地局と端末のハードウェア構成例＞
図３（Ａ）は基地局１００のハードウェア構成例を表す図である。基地局１００は、ＣＰＵ（Central Processing Unit）１０１〜１０３とメモリ１０５〜１０７をさらに備える。ＣＰＵ１０１〜１０３は内部バス１０８により互いに接続される。
【００６９】
各ＣＰＵ１０１〜１０３は、各メモリ１０５〜１０７に記憶されたプログラムを読み出して実行することで、ＣＰＵ１０１はＬａｙｅｒ２処理部１１０、ＣＰＵ１０２はスケジューラ部１２０、ＣＰＵ１０３はＬａｙｅｒ１処理部１４０の各機能をそれぞれ実行することができる。したがって、例えば、ＣＰＵ１０１はＬａｙｅｒ２処理部１１０、ＣＰＵ１０２はスケジューラ部１２０、ＣＰＵ１０３はＬａｙｅｒ１処理部１４０にそれぞれ対応する。また、例えば、メモリ１０５はバッファ１１３、メモリ１０６はＣＱＩメモリ１２７とＡＣＫカウンタ１３０、及び連続ＮＡＣＫカウンタ１３１にそれぞれ対応する。
【００７０】
図３（Ｂ）は端末４００のハードウェア構成例を表す図である。端末４００は、ＣＰＵ４０５，４０６、無線部４０７、及びメモリ４０８，４０９をさらに備える。ＣＰＵ４０５，４０６は内部バス４１０を介して互いに接続される。
【００７１】
ＣＰＵ４０５はメモリ４０８に記憶されたプログラムを読み出して実行することで、例えば、アプリケーション処理部４０５の機能を実行することが可能である。アプリケーション処理部４０５の機能としては、例えば、電子メールサービスやＷｅｂ閲覧サービス、ゲームアプリケーションなどがある。
【００７２】
また、ＣＰＵ４０６はメモリ４０９に記憶されたプログラムを読み出して実行することで、例えば、Ｌａｙｅｒ１処理部１４０の機能を実行することが可能である。Ｌａｙｅｒ１処理部１４０の機能としては、例えば、アプリケーション処理部４０５から受け取った電子メールのデータに対して符号化処理や変調処理などを施して変調信号へ変換して無線部４０７へ出力する機能などがある。また、Ｌｙｅｒ１処理部の機能としては、例えば、無線部４０７から受け取ったベースバンド信号に対して復調処理や復号化処理などを施して電子メールデータを抽出し、アプリケーション処理部４０５へ出力するなどの機能がある。
【００７３】
無線部４０７は、例えば、ＣＰＵ４０６から出力されたデータを行い無線信号へと変換し、無線信号をアンテナ４０１−１，４０１−２へ出力する。また、無線部４０７は、例えば、アンテナ４０１−１，４０１−２から受け取った無線信号をベースバンド信号へ変換し、ベースバンド信号をＣＰＵ４０６へ出力する。例えば、ＣＰＵ４０６と無線部４０７、アンテナ４０１−１，４０１−２は送信部であって、ＣＰＵ４０６と無線部４０７、アンテナ４０１−１，４０１−２は受信部となってもよい。
【００７４】
なお、基地局１００のＣＰＵ１０１〜１０３や端末４００のＣＰＵ４０５，４０６は、例えば、ＭＰＵ（Micro Processing Unit）やＤＳＰ（Digital Signal Processor）、ＦＰＧＡ（Field-Programmable Gate Array）などのプロセッサやコントローラであってもよい。また、無線部４０７も、例えば、ＤＳＰやＦＰＧＡなどのプロセッサやコントローラであってもよい。
【００７５】
＜下りデータの送信例＞
図４（Ａ）はＡＣＫ又はＮＡＣＫの報告タイミングの例、図４（Ｂ）はＲＢＧの割り当て例をそれぞれ表している。
【００７６】
図４（Ａ）に示すように、基地局１００は、時間「０」（ｍｓ）で下りデータ送信のためのＲＢＧを端末４００に割り当てる。図４（Ｂ）の例では、基地局１００はＲＢＧ＃０を割り当てている。図４（Ａ）に戻り、基地局１００は、符号化処理など内部的な処理を行った後、時間「４」（ｍｓ）でＲＢＧ＃０を利用して下りデータを送信する。端末４００は時間「４」（ｍｓ）で下りデータを受信し、内部的な処理を行った後、時間「８」（ｍｓ）でＡＣＫ又はＮＡＣＫを応答する。すなわち、基地局１００は無線リソースの割り当てを行ってから、ＲＴＴ（Round Trip Time）として「８ｍｓ」時間経過後に、端末４００からＡＣＫ又はＮＡＣＫの報告を受ける。
【００７７】
なお、図４（Ａ）と図４（Ｂ）の例では、基地局１００は、ＮＡＣＫを受信したとき、ＲＢＧ＃６を端末４００に割り当て、ＲＢＧ＃６を利用して下りデータを再送している。
【００７８】
＜ＲＢＧとＣＱＩの関係＞
図５はＲＢＧとＣＱＩの関係例を表す図である。サブバンドは、例えば、周波数方向においては１又は複数のＲＢＧを含む。図５の例では、１つのサブバンドに１つのＲＢＧが含まれる例を表している。したがって、図５の例では、１つのＳｕｂｂａｎｄ  ＣＱＩは、１つのＲＢＧに対するＣＱＩを表している。そして、ワイドバンドは、例えば、システム周波数帯域幅を有し、複数のサブバンドを含む。Ｗｉｄｅｂａｎｄ  ＣＱＩは、例えば、システム周波数帯域全体のＣＱＩを表している。なお、図５の例では、１つのＲＢＧには４つのＲＢが含まれる例を表しているが、１つのＲＢＧには１又は複数のＲＢが含まれていればよい。
【００７９】
上述したようにＳｕｂｂａｎｄ  ＣＱＩは、基地局１００がＣＱＩ  Ｒｅｑｕｅｓｔで指示する報告周期に従って端末４００が報告する。他方、Ｗｉｄｅｂａｎｄ  ＣＱＩは、予め決められた報告周期で自発的に端末４００が報告する。Ｗｉｄｅｂａｎｄ  ＣＱＩの報告周期は、３ＧＰＰ  ＴＳ２５．３３１  Ｖ１３．３．０によれば、例えば、０，２，４，８，１０，２０，４０，８０，１６０（ｍｓ）のいずれかとなっている。
【００８０】
＜動作例＞
次に動作例について説明する。動作例については、最初に無線通信システム１０全体のシーケンス例を説明し、次に、ＡＣＫカウンタ１３０のカウント演算方法について説明する。最後に、端末４００とＲＢＧの優先度の計算などについて説明する。
【００８１】
＜１．全体シーケンス例＞
図６から図８は全体シーケンス例を表す図である。
【００８２】
図６に示すように、基地局１００のＬａｙｅｒ２処理部１１０は、下りデータを受信すると、ＰＤＣＰレイヤ処理を行う（Ｓ１０）。例えば、ＰＤＣＰレイヤ処理部１１１は、受信した下りデータをＰＤＣＰデータに変換するなどの処理を行う。
【００８３】
次に、Ｌａｙｅｒ２処理部１１０は下りデータをバッファ１１３に格納する（Ｓ１１）。例えば、バッファ管理部１１２はＰＤＣＰデータをＲＬＣデータへ変換し、ＲＬＣデータをバッファ１１３に記憶する。
【００８４】
次に、Ｌａｙｅｒ２処理部１１０は、ＲＬＣレイヤ処理を行う（Ｓ１２）。例えば、ＲＬＣレイヤ処理部１１４はバッファ管理部１１２から受け取ったＲＬＣデータに基づいて送信ＵＥ情報を生成する。
【００８５】
次に、Ｌａｙｅｒ２処理部１１０は、送信ＵＥ情報をスケジューラ部１２０へ通知する（Ｓ１３）。例えば、ＲＬＣレイヤ処理部１１４は生成した送信ＵＥ情報をスケジューラ部１２０へ通知する。
【００８６】
スケジューラ部１２０は、送信ＵＥ情報を受け取ると、送信ＵＥ選択の処理を行う（Ｓ１４）。例えば、送信ＵＥ選択部１２１は、送信ＵＥ情報に基づいて、送信対象となる１又は複数の端末４００を選択する。
【００８７】
次に、スケジューラ部１２０は、Ｗｉｄｅｂａｎｄ  ＣＱＩとＡＣＫカウンタ１３０とに基づいて、選択した端末４００の各々に対して優先度を計算する（Ｓ１５）。計算の詳細は後述する。
【００８８】
次に、スケジューラ部１２０は、優先度の高い端末４００から順に、ＲＢＧ毎の優先度を、ＡＣＫカウンタ１３０とＳｕｂｂａｎｄ  ＣＱＩに基づいて計算する（Ｓ１６）。計算の詳細は後述する。
【００８９】
次に、スケジューラ部１２０は、優先度の高い端末４００から順番に、当該端末４００において優先度の高いＲＢＧを割り当てる（Ｓ１７）。
【００９０】
次に、スケジューラ部１２０は、端末４００毎に割り当てたＲＢＧを利用して下りデータを送信するときのＭＣＳを選択する（Ｓ１８）。
【００９１】
次に、スケジューラ部１２０は、Ｓ１４で選択した端末４００に関する情報を含む送信ＵＥ結果情報を生成し、送信ＵＥ結果情報をＬａｙｅｒ２処理部１１０へ出力する（Ｓ２０）。また、スケジューラ部１２０は、選択したＭＣＳの情報と割り当てたＲＢＧの情報を含む制御情報（又は無線制御情報。以下、「制御情報」と称する場合がある。）を生成し、生成した制御情報をＬａｙｅｒ１処理部１４０へ通知する（Ｓ２１）。なお、Ｓ２０とＳ２１の処理の順番は逆でもよい。
【００９２】
Ｌａｙｅｒ２処理部１１０は、送信ＵＥ選択結果の通知を受けて、送信ＵＥ選択結果の対象となる端末４００の下りデータをＬａｙｅｒ１処理部１４０へ通知する（Ｓ２２）。例えば、ＲＬＣレイヤ処理部１１４は、送信対象となる端末４００のＲＬＣデータをＬａｙｅｒ１処理部１４０へ出力する。
【００９３】
次に、Ｌａｙｅｒ１処理部１４０は、下りデータと制御情報に対してＭＡＣレイヤ処理を行う（図７のＳ２３）。例えば、ＭＡＣレイヤ処理部１４１は、ＲＬＣレイヤ処理部１１４から受け取った１又は複数のＲＬＣデータと、スケジューラ部１２０から受け取った制御情報とを多重化するなどしてＭＡＣデータを生成する。
【００９４】
次に、Ｌａｙｅｒ１処理部１４０は、ＭＡＣデータに対して符号化処理と変調処理を行う（Ｓ２４，Ｓ２５）。
【００９５】
そして、基地局１００は下りデータを端末４００へ送信する（Ｓ２７）。この際、基地局１００は予め決められた無線リソースを利用して参照信号を送信する（Ｓ２６）。例えば、Ｌａｙｅｒ１処理部１４０は参照信号を生成し、符号化処理部１４２と変調部１４３を介して、変調信号とともに無線装置２００へ送信することで、データと参照信号が端末４００へ送信される。
【００９６】
端末４００は、参照信号に基づいて、基地局１００との間の無線伝搬路の品質を測定し、Ｗｉｄｅｂａｎｄ  ＣＱＩ又はＳｕｂｂａｎｄ  ＣＱＩとして基地局１００へ報告する（Ｓ３０）。例えば、無線部４０７は参照信号の受信レベルを測定してＣＰＵ４０６へ出力し、ＣＰＵ４０６は受信レベルに基づいてＷｉｄｅｂａｎｄ  ＣＱＩ又はＳｕｂｂａｎｄ  ＣＱＩを生成し、無線部４０７を介して基地局１００へ送信する。この場合、ＣＰＵ４０６は、例えば、予め決められた周期でＷｉｄｅｂａｎｄ  ＣＱＩを送信し、ＣＱＩ  Ｒｅｑｕｅｓｔで指示された周期でＳｕｂｂａｎｄ  ＣＱＩを送信する。図７のシーケンス例では、ＣＱＩ  Ｒｅｑｕｅｓｔは既に基地局１００から端末４００へ送信されているものとする。例えば、基地局１００のスケジューラ部１２０はＳｕｂｂａｎｄ  ＣＱＩ報告周期を含むＣＱＩ  Ｒｅｑｕｅｓｔを生成して、Ｌａｙｅｒ１処理部１４０などを介して端末４００へ送信することが可能である。
【００９７】
また、端末４００は、下りデータに対してＡＣＫ又はＮＡＣＫを応答する（Ｓ２８）。例えば、ＣＰＵ４０６は、下りデータを正常に受信できたときはＡＣＫを生成し、正常に受信できなかったときはＮＡＣＫを生成し、生成したＡＣＫ又はＮＡＣＫを基地局１００へ送信する（Ｓ２８）。なお、Ｓ２８とＳ３０の順番は逆でもよい。
【００９８】
基地局１００のＬａｙｅｒ１処理部１４０は、端末４００から送信された無線信号を受信し、復調処理と復号化処理を行う（Ｓ３１，Ｓ３２）。
【００９９】
Ｌａｙｅｒ１処理部１４０のＣＱＩ判定部１４６は、復号化した情報がＣＱＩか否かを判定し（Ｓ３３）、ＣＱＩであれば復号したＣＱＩ（Ｗｉｄｅｂａｎｄ  ＣＱＩ又はＳｕｂｂａｎｄ  ＣＱＩ）をスケジューラ部１２０へ通知する（Ｓ３４）。スケジューラ部１２０のＣＱＩ処理部１２６は、ＣＱＩに対する処理を行い、Ｗｉｄｅｂａｎｄ  ＣＱＩとＳｕｂｂａｎｄ  ＣＱＩを識別してＣＱＩメモリ１２７に記憶する（Ｓ３５）。
【０１００】
一方、Ｌａｙｅｒ１処理部１４０のＡＣＫ／ＮＡＣＫ判定部１４７は、復号化した情報がＡＣＫ又はＮＡＣＫかを判定し（Ｓ３６）、ＡＣＫ又はＮＡＣＫであれば、ＡＣＫ又はＮＡＣＫをスケジューラ部１２０へ通知する（Ｓ３７）。スケジューラ部１２０のＡＣＫ／ＮＡＣＫ処理部１２８は、後述するカウント方法により、ＡＣＫの受信回数や連続ＮＡＣＫの受信回数をカウントし、ＡＣＫカウント値や連続ＮＡＣＫカウント値をＡＣＫカウンタ１３０や連続ＮＡＣＫカウンタ１３１へそれぞれ記憶する。
【０１０１】
また、ＡＣＫ／ＮＡＣＫ判定部１４７は、ＡＣＫの通知を受けたとき（Ｓ３７）、ＡＣＫを受信したことを示すＡＣＫ応答通知をＬａｙｅｒ２処理部１１０へ通知する（Ｓ４１）。Ｌａｙｅｒ２処理部１１０のバッファ管理部１１２はＡＣＫ応答通知を受けて、対象となる下りデータをバッファ１１３から削除する（Ｓ４２）。
【０１０２】
次に、基地局１００は、下りデータを受信すると（図８のＳ５０）、送信ＵＥ情報に基づいて送信対象の端末４００を選択する（Ｓ５２）。そして、スケジューラ部１２０は、更新されたＣＱＩメモリ１２７やＡＣＫカウンタ１３０（Ｓ３５，Ｓ４０）に基づいて端末４００の優先度とＲＢＧの優先度を計算する（Ｓ５３，Ｓ５４）。スケジューラ部１２０は、これらの優先度に基づいてＲＢＧを選択し（Ｓ５５）、ＭＣＳを選択する（Ｓ５６）。スケジューラ部１２０は、制御情報をＬａｙｅｒ１処理部１４０へ通知し、選択した端末４００の選択結果をＬａｙｅｒ２処理部１１０へ通知する（Ｓ５７，Ｓ５８）。なお、Ｓ５７とＳ５８の処理の順番は逆でもよい。
【０１０３】
＜２．ＡＣＫカウンタの演算方法＞
次に、ＡＣＫ／ＮＡＣＫカウント部１２９で行われるＡＣＫカウンタ１３０の演算方法について説明する。
【０１０４】
図９はＡＣＫカウンタ１３０の構成例を表す図である。ＡＣＫカウンタ１３０は、２次元配列のテーブル形式となっている。ＡＣＫカウンタ１３０は、端末４００とＲＢＧを要素とし、各端末４００に対して、ＲＢＧ毎に、ＡＣＫの受信回数を記憶する。ＡＣＫ／ＮＡＣＫカウント部１２９がＡＣＫの受信回数を以下に示す演算方法で計算してＡＣＫカウント値を得て、計算したＡＣＫカウント値を、ＡＣＫカウンタ１３０の所定の項目に記憶する。
【０１０５】
ＡＣＫカウンタ１３０において、各項目に記憶されるＡＣＫカウント値を、Ｋ＃ＵＥ，＃ＲＢＧ（又はＫ［ＵＥ］［ＲＢＧ］）と表す。例えば、端末ＵＥ＃０において、ＲＢＧ＃０のＡＣＫカウント値は、Ｋ＃ＵＥ０，＃ＲＢＧ０（又はＫ［ＵＥ＃０］［ＲＢＧ＃０］）と表され、端末ＵＥ＃２において、ＲＢＧ＃３のＡＣＫカウント値は、Ｋ＃ＵＥ２，＃ＲＢＧ３（又はＫ［ＵＥ＃２］［ＲＢＧ＃３］）と表される。
【０１０６】
なお、以下では、例えば、ＡＣＫカウンタ１３０の各項目に記憶されるＡＣＫカウント値とＡＣＫカウンタ１３０とを区別しないで用いる場合がある。
【０１０７】
また、基地局１００は、ＡＣＫ履歴テーブル１３２を備える。図１０（Ａ）と図１０（Ｂ）はＡＣＫ履歴テーブル１３２の例を表している。ＡＣＫ履歴テーブル１３２は、例えば、ＡＣＫカウンタ１３０と同じメモリ１０６に保持されてもよい。
【０１０８】
図１０（Ａ）は端末ＵＥ＃１のＡＣＫ履歴テーブル１３２−１、図１０（Ｂ）は端末ＵＥ＃２のＡＣＫ履歴テーブル１３２−２の構成例をそれぞれ表している。図示されていないが、例えば、端末ＵＥ＃３に対してＡＣＫ履歴テーブル１３２−３、端末ＵＥ＃４に対してＡＣＫ履歴テーブル１３２−４など、端末４００ごとに各ＡＣＫ履歴テーブル１３２がある。
【０１０９】
ＡＣＫ履歴テーブル１３２は、各ＲＢＧについて１ｍｓ（＝１サブフレーム＝１ＴＴＩ）毎にＡＣＫの受信履歴が記憶される。例えば、ＡＣＫ／ＮＡＣＫカウント部１２９がＡＣＫを受信すると、対応する項目に「１」を記憶し、それ以外の部分には「０」を記憶する（又は何も記憶しないで不定としてもよい）。図１０（Ａ）の例では、端末ＵＥ＃１に関し、ＣＱＩ  Ｒｅｑｕｅｓｔ送信後、最初の１ｍｓでＲＢＧ＃０についてＡＣＫを受信し、次の１ｍｓでＲＢＧ＃１についてＡＣＫを受信したことを表している。ＡＣＫ履歴テーブル１３２は、例えば、ＡＣＫカウンタ１３０の演算に用いられる。具体的には、後述するように、Ｓｕｂｂａｎｄ  ＣＱＩ報告周期より前に基地局１００で受信したＡＣＫを廃棄するために用いられる。
【０１１０】
ＡＣＫカウンタ１３０の演算方法は４つの例がある。以下、順次説明する。ＡＣＫカウンタ１３０の演算は、全体のシーケンス例においては、例えば、Ｓ４０において行われる処理である。
【０１１１】
＜２．１  ＡＣＫカウンタの演算方法１＞
図１１はＡＣＫカウンタ１３０の演算方法の１番目の例を示すフローチャートである。ＡＣＫ／ＮＡＣＫカウント部１２９は、処理を開始すると（Ｓ６０）、受信した応答情報がＡＣＫかＮＡＣＫかを判別する（Ｓ６１）。
【０１１２】
ＡＣＫ／ＮＡＣＫカウント部１２９は、受信した応答情報がＡＣＫのとき（Ｓ６１で「ＡＣＫ」）、該当するＡＣＫカウンタ（Ｋ［ＵＥ］［ＲＢＧ］）１３０をインクリメントする（Ｓ６２）。例えば、ＡＣＫ／ＮＡＣＫカウント部１２９は、端末ＵＥ＃１のＲＢＧ＃３に対してＡＣＫを受信したとき、Ｋ［ＵＥ＃１］［ＲＢＧ＃３］をインクリメントする。
【０１１３】
一方、ＡＣＫ／ＮＡＣＫカウント部１２９は、受信した応答情報がＮＡＣＫのとき（Ｓ６１で「ＮＡＣＫ」）、該当するＡＣＫカウンタ１３０を「０」クリアにする（Ｓ６３）。例えば、ＡＣＫカウント値Ｋ［ＵＥ＃１］［ＲＢＧ＃３］が「３」のときにおいて、端末ＵＥ＃１のＲＢＧ＃３に対してＮＡＣＫを受信すると、ＡＣＫ／ＮＡＣＫカウント部１２９はＫ［ＵＥ＃１］［ＲＢＧ＃３］＝０にする。すなわち、ＡＣＫ／ＮＡＣＫカウント部１２９は、該当するＡＣＫカウンタ１３０においてこれまでカウントしたカウント値を「０」にリセットしている。
【０１１４】
これは、例えば、端末ＵＥ＃１はこれまでＲＢＧ＃３が良好であったため使用していたが、移動により、無線状況が変化したため、ＡＣＫを受信した実績を破棄する演算方法である。この演算方法は、直近のＮＡＣＫを重視する方法となっている。ＲＢＧ＃３のＡＣＫカウント値が「０」となったため、ＲＢＧの選択の際に、ＲＢＧ＃３が選択される可能性がこれまでよりも低くなり、他のＲＢＧが選択される可能性をこれまでよりも高くすることが可能となる。
【０１１５】
ＡＣＫ／ＮＡＣＫカウント部１２９は、Ｓ６２とＳ６３の処理を終了すると、Ｔｓ前に同一端末４００であって、かつ、同一のＲＢＧでＡＣＫを受信したか否かを判別する（Ｓ６４）。Ｔｓは、例えば、Ｓｕｂｂａｎｄ  ＣＱＩの報告周期を表している。すなわち、ＡＣＫ／ＮＡＣＫカウント部１２９は、ＡＣＫカウンタ１３０の各項目について、１サブバンド報告周期の期間より前に、ＡＣＫを受信したか否かを判別している。
【０１１６】
ＡＣＫ／ＮＡＣＫカウント部１２９は、Ｔｓ前に同一の端末４００であって、かつ、同一のＲＢＧでＡＣＫを受信したとき（Ｓ６４でＹｅｓ）、該当するＡＣＫカウンタ１３０をデクリメントする（Ｓ６５）。ただし、ＡＣＫ／ＮＡＣＫカウント部１２９は該当するＡＣＫカウンタ１３０が「０」より大きいときにデクリメントし、該当するＡＣＫカウンタ１３０が「０」のときは該当するＡＣＫカウンタ１３０について特に処理を行わない。すなわち、ＡＣＫ／ＮＡＣＫカウント部１２９は、該当するＡＣＫカウンタ１３０について、１サブバンド報告周期より前に受信したＡＣＫを考慮しないようにしている。
【０１１７】
上述したように、ＡＣＫ履歴テーブル（例えば図１０）１３２には所定期間のＡＣＫの受信履歴が保持されている。よって、ＡＣＫ／ＮＡＣＫカウント部１２９は、ＡＣＫ履歴テーブル１３２において、現時点から直近の１サブバンド報告周期より前に、ＡＣＫの受信履歴が保持されていれば、その受信履歴を、ＡＣＫカウンタ１３０におけるカウンタ値からデクリメントすればよい。
【０１１８】
そして、ＡＣＫ／ＮＡＣＫカウント部１２９はＡＣＫカウンタ１３０の演算を終了する（Ｓ６６）。
【０１１９】
一方、ＡＣＫ／ＮＡＣＫカウント部１２９は、Ｔｓ前に同一の端末４００であって、かつ、同一のＲＢＧにおいてＡＣＫを受信していないとき（Ｓ６４でＮｏ）、Ｓ６５の処理を行うことなく、演算を終了する（Ｓ６６）。
【０１２０】
＜２．２  ＡＣＫカウンタの演算方法２＞
図１２はＡＣＫカウンタ１３０の演算方法の２番目の例を示すフローチャートである。この例では、ＡＣＫ／ＮＡＣＫカウント部１２９は、ＮＡＣＫを受信したとき（Ｓ７１で「ＮＡＣＫ」）、ＡＣＫカウンタ１３０をデクリメントする（Ｓ７１）。ただし、ＡＣＫ／ＮＡＣＫカウント部１２９は、ＡＣＫカウンタ１３０が「０」より大きいときにＡＣＫカウンタ１３０をデクリメントし、ＡＣＫカウンタ１３０が「０」のときは処理を行わないようにする。
【０１２１】
上述したＡＣＫカウンタ１３０の１番目の演算方法では、ＡＣＫカウンタ１３０を「０」にリセットしたが、本演算方法では、ＡＣＫカウンタ１３０をデクリメントしている。これは、例えば、ＡＣＫの受信実績とＮＡＣＫの受信実績を同じ重み付けと捉えて、２つの受信実績を公平に取り扱う演算方法となっている。
【０１２２】
なお、図１２に示す演算方法のそれ以外の処理は、１番目の演算方法と同一である。
【０１２３】
＜２．３  ＡＣＫカウンタの演算方法３＞
図１３はＡＣＫカウンタ１３０の３番目の演算方法の例を表すフローチャートである。本演算方法では、連続ＮＡＣＫカウンタ１３１が利用される。
【０１２４】
図１４は連続ＮＡＣＫカウンタ１３１の構成例を表す図である。連続ＮＡＣＫカウンタ１３１も、ＡＣＫカウンタ１３０と同様にテーブル形式となっており、各端末４００についてＲＢＧ毎に、基地局１００が連続してＮＡＣＫを受信した回数（又は連続ＮＡＣＫカウント値）が記憶されることが可能となっている。連続ＮＡＣＫカウンタ１３１において、各項目に記憶される連続ＮＡＣＫカウント値を、Ｎ＃ＵＥ，＃ＲＢＧ（又はＮ［ＵＥ］［ＲＢＧ］）と表す。例えば、端末ＵＥ＃０のＲＢＧ＃２においてＮＡＣＫを連続して２回受信した場合、Ｎ＃ＵＥ０，＃ＲＢＧ２（又はＮ［ＵＥ＃０］［ＲＢＧ＃２］）＝２、などと表すことができる。
【０１２５】
なお、以下では、例えば、連続ＮＡＣＫカウンタ１３１の各項目に記憶される連続ＮＡＣＫカウント値と連続ＮＡＣＫカウンタ１３１とを区別しないで用いる場合がある。
【０１２６】
図１３に戻り、ＡＣＫ／ＮＡＣＫカウント部１２９は、受信した応答情報がＡＣＫのとき（Ｓ６１で「ＡＣＫ」）、該当する連続ＮＡＣＫカウンタ（Ｎ［ＵＥ］［ＲＢＧ］）１３１を「０」クリアにする（Ｓ８１）。すなわち、ＡＣＫ／ＮＡＣＫカウント部１２９は、ＡＣＫを受信したとき、それまでにカウントされた連続したＮＡＣＫの受信回数を「０」にリセットする。
【０１２７】
一方、ＡＣＫ／ＮＡＣＫカウント部１２９は、受信した応答情報がＮＡＣＫのとき（Ｓ６１で「ＮＡＣＫ」）、該当する項目において、ＡＣＫカウンタ１３０のカウント値に対し、連続ＮＡＣＫカウンタ１３１のカウント値を減算する（Ｓ８２）。ただし、ＡＣＫ／ＮＡＣＫカウント部１２９は、該当する項目において、ＡＣＫカウンタ１３０のカウント値が連続ＮＡＣＫカウンタ１３１のカウント値以上のとき（Ｋ［ＵＥ］［ＲＢＧ］≧Ｎ［ＵＥ］［ＲＢＧ］）に減算する。ＡＣＫカウンタ１３０のカウント値が連続ＮＡＣＫカウンタ１３１よりも大きいとき（Ｋ［ＵＥ］［ＲＢＧ］＜Ｎ［ＵＥ］［ＲＢＧ］）は、ＡＣＫカウンタ１３０を「０」にリセットする。
【０１２８】
そして、ＡＣＫ／ＮＡＣＫカウント部１２９は、連続ＮＡＣＫカウンタ１３１をインクリメントする（Ｓ８３）。
【０１２９】
以降は、１番目の演算方法と同一である。
【０１３０】
本演算方法では、ＮＡＣＫの受信回数が連続すればするほど、ＡＣＫカウンタ１３０のカウント値の減算量が大きくなる（Ｓ８２）。したがって、ＮＡＣＫの受信回数が連続すればするほど、該当する項目におけるＡＣＫの受信実績が減算されることになり、これまでのＡＣＫの受信実績を破棄することが可能となる。これは、例えば、端末４００の移動によりそのＲＢＧの無線品質がこれまでよりも悪化した場合、ＮＡＣＫの受信が１回程度であれば影響は少ないものの、連続するような場合は、そのＲＢＧの受信実績を破棄することを可能にしている。これにより、例えば、基地局１００はそのＲＢＧを端末４００に割り当てずに他のＲＢＧを割り当てることが可能となる。
【０１３１】
＜２．４  ＡＣＫカウンタの演算方法４＞
図１５はＡＣＫカウンタ１３０の４番目の演算方法の例を表すフローチャートである。
【０１３２】
ＡＣＫ／ＮＡＣＫカウント部１２９は、応答情報がＮＡＣＫのとき（Ｓ６１で「ＮＡＣＫ」）、連続ＮＡＣＫカウンタ１３１をインクリメントし（Ｓ９１）、インクリメント後の連続ＮＡＣＫカウンタ１３１が閾値よりも大きいとき、ＡＣＫカウンタ１３０を「０」にリセットする（Ｓ９２）。
【０１３３】
これは、ある端末４００のＲＢＧについてＮＡＣＫの受信が連続してもある程度までは（閾値までは）、問題にしないようにし、連続したＮＡＣＫの受信回数が閾値を超えると、そのＲＢＧの無線品質が良好ではないとして、該当するＡＣＫカウンタ１３０を「０」クリアにする。
【０１３４】
ただし、インクリメント後の連続ＮＡＣＫカウンタ１３１が閾値以下のときは、ＡＣＫ／ＮＡＣＫカウント部１２９は、ＡＣＫカウンタ１３０に対して特に何も行わない。それ以外の処理は、３番目の演算方法と同一である。
【０１３５】
＜３．優先度の計算と無線リソースの割り当て動作＞
次に、端末４００の優先度とＲＢＧの優先度の計算、及びＲＢＧの割り当ての詳細について説明する。
【０１３６】
図１６及び図１７は優先度の計算からＲＢＧ割り当てまでの動作例を表すフローチャートである。本フローチャートは、全体シーケンス例（例えば図６）では、Ｓ１５〜Ｓ１７の動作に対応している。
【０１３７】
ＵＥ優先度処理部１２２は、処理を開始すると（Ｓ１００）、Ｓ１４により選択した送信対象となる端末４００の各々に対して、以下を計算する（Ｓ１０１でＮｏ、Ｓ１０２）。
【０１３８】
【数１】
2018142900.tif 000003
【０１３９】
式（１）において、Ｋ＃ＵＥは、端末４００において、ＲＢＧ毎のＡＣＫカウンタ１３０のカウント値を合算した値を表している。例えば、図９のＡＣＫカウンタ１３０を用いて説明すると、Ｋ＃ＵＥ０は、端末＃ＵＥ０において、ＲＢＧ＃０からＲＢＧ＃ｎまでのＡＣＫカウンタ１３０の合計した値を表している。
【０１４０】
図１６に戻り、ＵＥ優先度処理部１２２は、このようなＡＣＫカウンタ１３０の合算値を、送信対象となる端末４００の全てに対して算出する（Ｓ１０１でＮｏのループ）。
【０１４１】
一方、ＵＥ優先度処理部１２２は、送信対象となる全端末４００に対してＡＣＫカウンタ１３０の合計値を算出すると（Ｓ１０１でＹｅｓ）、送信対象となる端末４００の各々に対して、以下の処理を行う（Ｓ１０３でＮｏ）。
【０１４２】
すなわち、ＵＥ優先度処理部１２２は、Ｗｉｄｅｂａｎｄ  ＣＱＩの報告タイミングからの経過時間ｔＷがＷｉｄｅｂａｎｄ  ＣＱＩの報告周期ＴＷ内の時間帯であるか否かを判別する（Ｓ１０４）。経過時間ｔＷは、例えば、基地局１００がＷｉｄｅｂａｎｄ  ＣＱＩを受信したときに「０」にリセットされ、１ｍｓ経過する毎に（又はＴＴＩ周期で）インクリメントされる変数である。「ｔＷ＜ＴＷ」は、例えば、経過時間ｔＷがＷｉｄｅｂａｎｄ  ＣＱＩの報告周期ＴＷ内の時間帯であることを表している。
【０１４３】
ＵＥ優先度処理部１２２は、経過時間ｔＷが報告周期ＴＷ内の時間帯であるとき（Ｓ１０４でＹｅｓ）、端末４００の優先度ＵＥ＿ＰＲＩ＃ＵＥを以下の式を用いて計算する（Ｓ１０５）。
【０１４４】
【数２】
2018142900.tif 000004
【０１４５】
ここで、ＷｉｄｅｂａｎｄＣＱＩ＃ＵＥは、例えば、端末＃ＵＥのＷｉｄｅｂａｎｄ  ＣＱＩを表している。また、αＷは、Ｗｉｄｅｂａｎｄ  ＣＱＩとＡＣＫカウンタ１３０を同じレベルで加算可能とするための補正係数であり、以下で表される。
【０１４６】
【数３】
2018142900.tif 000005
【０１４７】
図１８（Ａ）は式（２）の関係例を表す図である。図１８（Ａ）において横軸は経過時間ｔＷ、縦軸は割合を表している。
【０１４８】
図１８（Ａ）において、（１−ｔＷ／ＴＷ）に着目すると、Ｗｉｄｅｂａｎｄ  ＣＱＩを受信した時刻（ｔＷ＝０）からの経過時間ｔＷが「０」に近いほど割合は「１」に近づき、経過時間ｔＷがＷｉｄｅｂａｎｄ  ＣＱＩ報告周期ＴＷに近づくほど割合は「０」に近づく。すなわち、（１−ｔＷ／ＴＷ）は、経過時間ｔＷがＷｉｄｅｂａｎｄ  ＣＱＩの受信時刻から経過すればするほど、「１」以下となるような重み付け、或いは「０」に近づくような重み付けの値を表している。したがって、式（２）の右辺の第１式は、経過時間ｔＷがＷｉｄｅｂａｎｄ  ＣＱＩを受信した時刻（ｔＷ＝０）から経過すればするほど、Ｗｉｄｅｂａｎｄ  ＣＱＩが除々に「０」に近づくことを表している。
【０１４９】
他方、図１８（Ａ）において、（ｔＷ／ＴＷ）に着目すると、Ｗｉｄｅｂａｎｄ  ＣＱＩを受信した時刻（ｔＷ＝０）からの経過時間ｔＷが「０」に近いほど割合は「０」となり、経過時間ｔＷがＷｉｄｅｂａｎｄ  ＣＱＩ報告周期ＴＷに近づくほど割合は「１」となる。すなわち、（ｔＷ／ＴＷ）は、経過時間ｔＷがＷｉｄｅｂａｎｄ  ＣＱＩの受信時刻から経過すればするほど、「１」に近づくような重み付けの値を表している。したがって、式（２）の右辺の第２式は、経過時間ｔＷがＷｉｄｅｂａｎｄ  ＣＱＩを受信した時刻（ｔＷ＝０）から経過すればするほど、ＡＣＫカウンタ１３０のカウント値を用いることが可能であることを表している。
【０１５０】
よって、端末４００の優先度ＵＥ＿ＰＲＩ＃ＵＥは、経過時間ｔＷがＷｉｄｅｂａｎｄ  ＣＱＩを受信した時刻（ｔＷ＝０）に近いほど、Ｗｉｄｅｂａｎｄ  ＣＱＩの比重を重くし、ＡＣＫカウンタ１３０の比重を軽くした数値の加算値となっている。また、端末４００の優先度ＵＥ＿ＰＲＩ＃ＵＥは、経過時間ｔＷがＷｉｄｅｂａｎｄ  ＣＱＩを受信した時刻から経過すればするほど、ＡＣＫカウンタ１３０の比重を重くし、Ｗｉｄｅｂａｎｄ  ＣＱＩの比重を軽くした数値の加算値となっている。
【０１５１】
図１６に戻り、一方、経過時間ｔＷが報告周期ＴＷ内の時間帯ではないとき（又はｔＷ＜ＴＷではないとき）（Ｓ１０４でＮｏ）、ＵＥ優先度処理部１２２は、以下の式を用いて端末４００の優先度ＵＥ＿ＰＲＩ＃ＵＥを計算する（Ｓ１０６）。
【０１５２】
【数４】
2018142900.tif 000006
【０１５３】
例えば、図１８（Ａ）において、経過時間ｔＷがＴＷを超えたとき、（ｔＷ／ＴＷ）＝１、（１−ｔＷ／ＴＷ）＝０となっており、この重み付け値を式（２）に代入した場合の式が式（４）となっている。
【０１５４】
このように、ＵＥ優先度処理部１２２は、例えば、Ｗｉｄｅｂａｎｄ  ＣＱＩとＡＣＫカウンタ１３０に基づいて、送信対象の全端末４００に対して優先度ＵＥ＿ＰＲＩ＃ＵＥを計算している。そして、ＵＥ優先度処理部１２２は、例えば、Ｗｉｄｅｂａｎｄ  ＣＱＩの受信時刻から時刻が経過すればするほど、Ｗｉｄｅｂａｎｄ  ＣＱＩの値が小さくなり、ＡＣＫカウンタ１３０が大きくなるように重み付けされた加算値を、端末４００の優先度優先度ＵＥ＿ＰＲＩ＃ＵＥとして計算している。
【０１５５】
図１６に戻り、ＵＥ優先度処理部１２２は、送信対象の全端末４００に対して優先度を計算すると（Ｓ１０３でＹｅｓ）、ＲＢＧ優先度処理部１２３は、優先度ＵＥ＿ＰＲＩ＃ＵＥが大きい端末４００から順番に、送信対象の全端末４００に対して以下の処理を行う（Ｓ１０７で「ループ回数≠対象ＵＥ数」）。
【０１５６】
すなわち、ＲＢＧ優先度処理部１２３は、ＲＢＧ分のループが終了したか否か（又はＲＢＧ＜ＭＡＸか否か）を判別する（Ｓ１０８）。ＭＡＸは、例えば、ＲＢＧの個数を表し、図９の例ではＭＡＸ＝ｎとなる。
【０１５７】
ＲＢＧ優先度処理部１２３は、ＲＢＧ分のループが終了していないとき（Ｓ１０８でＹｅｓ）、Ｓｕｂｂａｎｄ ＣＱＩの報告タイミングからの経過時間ｔＳがＳｕｂｂａｎｄ  ＣＱＩの報告周期ＴＳ内の時間帯であるか否かを判別する（Ｓ１１０）。経過時間ｔＳは、例えば、基地局１００がＳｕｂｂａｎｄ  ＣＱＩを受信したときに「０」にリセットされ、１ｍｓ経過する毎（又はＴＴＩ周期で）インクリメントされる変数である。「ｔＳ＜ＴＳ」は、例えば、経過時間ｔＳがＳｕｂｂａｎｄ  ＣＱＩの報告周期ＴＳ内の時間帯であることを表している。
【０１５８】
ＲＢＧ優先度処理部１２３は、経過時間ｔＳが報告周期ＴＳ内の時間帯であるとき（Ｓ１１０でＹｅｓ）、該当する端末４００のＲＢＧの優先度ＲＢＧ＿ＰＲＩ＃ＵＥを以下の式を用いて計算する（Ｓ１１１）。
【０１５９】
【数５】
2018142900.tif 000007
【０１６０】
ここで、ＳｕｂｂａｎｄＣＱＩ＃ＵＥ、＃ＲＢＧは、例えば、端末＃ＵＥのあるＲＢＧにおけるＡＣＫカウンタ１３０のカウント値を表している。また、αＳは、Ｓｕｂｂａｎｄ  ＣＱＩとＡＣＫカウンタ１３０を同じレベルで加算可能とするための補正係数であり、以下で表される。
【０１６１】
【数６】
2018142900.tif 000008
【０１６２】
式（５）についても、式（２）と同様に、（１−ｔＳ／ＴＷ）（又は第３の重み付け値）と（ｔＳ／ＴＷ）（又は第４の重み付け値）により重み付けされている。すなわち、端末＃ＵＥにおけるＲＢＧの優先度ＲＢＧ＿ＰＲＩ＃ＵＥは、経過時間ｔＳがＳｕｂｂａｎｄ  ＣＱＩを受信した時刻（ｔＳ＝０）に近いほど、Ｓｕｂｂａｎｄ  ＣＱＩの比重を重くし、ＡＣＫカウンタ１３０の比重を軽くする数値の加算値となっている。また、端末＃ＵＥにおけるＲＢＧの優先度ＲＢＧ＿ＰＲＩ＃ＵＥは、経過時間ｔＳがＳｕｂｂａｎｄ  ＣＱＩを受信した時刻から経過すればするほど、ＡＣＫカウンタ１３０の比重を重くし、Ｓｕｂｂａｎｄ  ＣＱＩの比重を軽くする数値の加算値となっている。
【０１６３】
一方、経過時間ｔＳが報告周期ＴＳ内の時間帯ではないとき（又はｔＳ＜ＴＳではないとき）（Ｓ１１０でＮｏ）、ＲＢＧ優先度処理部１２３は、以下の式を用いて端末＃ＵＥにおけるＲＢＧの優先度ＲＢＧ＿ＰＲＩ＃ＵＥを計算する（Ｓ１１２）。
【０１６４】
【数７】
2018142900.tif 000009
【０１６５】
なお、式（１）から式（７）は、例えば、メモリ１０６などに保持されており、ＵＥ優先度処理部１２２やＲＢＧ優先度処理部１２３が適宜これらの式を読み出して、値などをこれらの式に代入することで、これらの式に対する処理が行われる。
【０１６６】
このように、ＲＢＧ優先度処理部１２３は、例えば、Ｓｕｂｂａｎｄ  ＣＱＩとＡＣＫカウンタ１３０に基づいて、端末４００の優先度ＵＥ＿ＰＲＩ＃ＵＥの大きい端末４００から順に、ＲＢＧの優先度ＲＢＧ＿ＰＲＩ＃ＵＥを計算している。そして、ＲＢＧ優先度処理部１２３は、例えば、Ｓｕｂｂａｎｄ  ＣＱＩの受信時刻から時刻が経過すればするほど、Ｓｕｂｂａｎｄ  ＣＱＩの値が小さくなり、ＡＣＫカウンタ１３０が大きくなるように重み付けされた加算値を、ＲＢＧの優先度ＲＢＧ＿ＰＲＩ＃ＵＥとして計算している。
【０１６７】
一方、ＲＢＧ優先度処理部１２３は、端末＃ＵＥのＲＢＧ分のループを終了し（又はＲＢＧ＜ＭＡＸではないとき）、端末＃ＵＥの全ＲＢＧの優先度ＲＢＧ＿ＰＲＩ＃ＵＥを計算すると（Ｓ１０８でＮｏ）、ＲＢＧの優先度ＲＢＧ＿ＰＲＩ＃ＵＥの大きいＲＢＧから順に以下を行う（図１７のＳ１１３）。
【０１６８】
すなわち、ＲＢＧ優先度処理部１２３は、当該ＲＢＧが無線リソースとして端末４００に対して割り当て済みか否かを判別する（Ｓ１１４）。例えば、ＲＢＧ優先度処理部１２３は、ＲＢＧを端末４００に割り当てたときはＲＢＧ毎にフラグ情報をメモリ１０６に記憶しており、該当するＲＢＧのフラグ情報に基づいて判別可能である。
【０１６９】
ＲＢＧ優先度処理部１２３は、当該ＲＢＧが割り当て済みでないとき（Ｓ１１４でＮｏ）、当該ＲＢＧをその端末＃ＵＥの送信に使用することを決定する（Ｓ１１５）。すなわち、ＲＢＧ優先度処理部１２３は、当該ＲＢＧを無線リソースとして端末＃ＵＥに割り当てる。なお、ＲＢＧ優先度処理部１２３は、優先度が同じＲＢＧが複数あるとき、ランダム又はサイクリックにいずれかを選択するようにしてもよい。
【０１７０】
次に、ＲＢＧ優先度処理部１２３は、送信データ分のＲＢＧを割当てたか否かを判別し（Ｓ１１６）、送信データ分のＲＢＧを割り当ていないとき（Ｓ１１６でＮｏ）、Ｓ１１３へ移行し、次に優先度ＲＢＧ＿ＰＲＩ＃ＵＥの大きいＲＢＧに対して、Ｓ１１３以降を実行する。
【０１７１】
すなわち、ＲＢＧ優先度処理部１２３は、優先度ＵＥ＿ＰＲＩ＃ＵＥの大きい端末＃ＵＥから順番に、優先度ＲＢＧ＿ＰＲＩ＃ＵＥの大きいＲＢＧを、送信データ分、順次割り当てるようにしている（Ｓ１１３〜Ｓ１１６のループ）。
【０１７２】
そして、ＲＢＧ優先度処理部１２３は、当該端末＃ＵＥについて送信データ分のＲＢＧを割り当てると（Ｓ１１６でＹｅｓ）、Ｓ１０７へ移行し、次に優先度ＵＥ＿ＰＲＩ＃ＵＥの大きい端末＃ＵＥに対して、優先度ＲＢＧ＿ＰＲＩ＃ＵＥの大きいＲＢＧを割当てていくことになる（Ｓ１０７でＮｏのループ）。
【０１７３】
一方、ＲＢＧ優先度処理部１２３は、優先度ＵＥ＿ＰＲＩ＃ＵＥの大きい端末＃ＵＥから順に処理を行って、全端末４００に対してＳ１０８からＳ１１６までの処理を行うと（図１６のＳ１０７で「ループ回数＝対象ＵＥ数」）、一連の処理を終了する（図１７のＳ１１７）。
【０１７４】
図１８（Ｂ）はＲＢＧの割り当て例を表している。図１８（Ｂ）では、優先度ＵＥ＿ＰＲＩ＃ＵＥの大きい順に、ＵＥ＃１、ＵＥ＃２、ＵＥ＃３となっている。したがって、ＲＢＧ優先度処理部１２３は、ＵＥ＃１から順番にＲＢＧの割り当てを行う（図１６のＳ１０７）。この場合、ＵＥ＃１では、ＲＢＧ＃１、ＲＢＧ＃２、ＲＢＧ＃３の順に優先度ＲＢＧ＿ＰＲＩ＃ＵＥが大きいものとなっている。ＲＢＧ優先度処理部１２３は、ＲＢＧ＃１、ＲＢＧ＃２、及びＲＢＧ＃３を無線リソースとして割当てる（Ｓ１１３からＳ１１５）。次に、ＲＢＧ優先度処理部１２３は、ＵＥ＃１の次に優先度ＵＥ＿ＰＲＩ＃ＵＥの大きいＵＥ＃２に対して、ＲＢＧの優先度ＲＢＧ＿ＰＲＩ＃ＵＥを計算し（Ｓ１０７からＳ１１１）、割り当てられたＲＢＧ＃１〜＃３以外のＲＢＧであるＲＢＧ＃４，ＲＢＧ＃６，ＲＢＧ＃７を割当てる（Ｓ１１３からＳ１１５）。最後に、ＲＢＧ優先度処理部１２３は、ＵＥ＃３に対して、ＲＢＧ＃０，ＲＢＧ＃５を割当てる（Ｓ１１３からＳ１１５）。
【０１７５】
図１６及び図１７に示すＲＢＧの割り当て例では、優先度ＵＥ＿ＰＲＩ＃ＵＥが大きい端末４００から順番にＲＢＧの割り当てが行われている。これは、下りデータの送信において、高確率でＡＣＫの応答が返ってくる端末４００を優先してＲＢＧを割り当てる例となっている。この場合、高確率でＡＣＫが返送される端末４００を優先してＲＢＧを割り当てる方が、低確率でＡＣＫが返送される端末４００を優先してＲＢＧを割り当てる場合と比較すると、前者の方が後者よりもＡＣＫが返送される確率は高くなる。したがって、システム周波数帯域全体で考えると、全体のスループットは前者の方が後者よりも高くなる。
【０１７６】
しかし、前者の場合、低確率でＡＣＫが返送される端末４００はスループットが低いままの状態となってしまう。例えば、図１８（Ｂ）の例では、ＵＥ＃３は、ＲＢＧの品質が良好なＲＢＧ＃１〜＃３がいつまで経っても割り当てられない状態となる。
【０１７７】
そこで、ＲＢＧ優先度処理部１２３は、優先度ＵＥ＿ＰＲＩ＃ＵＥが小さい端末４００から順番にＲＢＧを割り当てるようにしてもよい。例えば、図１６のＳ１０７を、「ＵＥ＿ＰＲＩ＃ＵＥが小さいＵＥから以下を実施」に変更すればよい。無線環境が良好でない端末４００に対しては、ＡＣＫが返送されるＲＢＧを見出すことが可能となり、このような端末４００に対するスループットの低減を防止することが可能となる。ただし、無線環境の良好な端末４００は、最良のＲＢＧが割り当てられない場合があり、システム全体としてはスループットの低下を招くことになる。
【０１７８】
一例として、ＲＢＧ優先度処理部１２３は、ある一定期間は、優先度ＵＥ＿ＰＲＩ＃ＵＥが小さい端末４００から順番にＲＢＧを割り当てるようにし、それ以外の期間は、優先度ＵＥ＿ＰＲＩ＃ＵＥが大きい端末４００から順番にＲＢＧを割り当ててもよい。このように、例えば、端末４００間での公平性を保つため、ＲＢＧを選択する端末４００の順序を適宜入れ替えて処理が行われてもよい。
【０１７９】
以上説明したように、本第１の実施の形態においては、基地局１００は、例えば、品質情報と、所定期間内におけるＡＣＫの受信回数とに基づいて、各端末４００に対して各ＲＢＧを割当てている。
【０１８０】
この場合、基地局１００は、予め決められた報告周期やＣＱＩ  Ｒｅｑｕｅｓｔで指定された報告周期に対して、更に短い報告周期でＣＱＩを報告させるようなことは行っていない。したがって、端末４００から基地局１００へのＣＱＩの報告回数が、決められた又は指定された報告周期で報告する場合よりも多くなることはなく、報告回数の増大による上り回線のスループットの低下を防止することが可能となる。
【０１８１】
また、基地局１００は、例えば、優先度ＵＥ＿ＰＲＩ＃ＵＥ，ＲＢＧ＿ＰＲＩ＃ＵＥを計算する際に、ＣＱＩの受信時刻から経過すればするほど、ＣＱＩを小さくし、ＡＣＫカウンタ１３０のカウント値を大きくするように重み付けを行っている（Ｓ１０５，Ｓ１１１）。すなわち、基地局１００は、割り当て時間がＣＱＩの受信時からそれほど経過していないときは、無線品質の状況がＣＱＩに対応しているとして、ＣＱＩに基づいて各端末４００にＲＢＧの割り当てを行っている。一方、基地局１００は、割り当て時間がＣＱＩの受信時からある程度経過したときは、無線品質の状況はＣＱＩではなくＡＣＫカウンタ１３０が対応しているものとして、ＡＣＫカウンタ１３０に基づいて、各端末４００にＲＢＧの割り当てを行っている。よって、基地局１００は、例えば、無線品質の変化に対応したＲＢＧの割り当てを行うことが可能となる。
【０１８２】
以上から、基地局１００は、例えば、最適な無線リソースを端末４００に割り当てることが可能となる。
【０１８３】
［第２の実施の形態］
図１９は第２の実施の形態における無線通信システム１０の構成例を表す図である。無線通信システム１０は、基地局１００と端末４００を備える。基地局と端末は無線通信を行う。
【０１８４】
また、基地局１００は、送信部１５０と受信部１５１、及びスケジューラ部１２０を備える。送信部１５０は、参照信号とデータとを端末４００へ送信する。受信部１５１は、参照信号に基づいて端末４００において測定された無線品質を示す品質情報を端末４００から受信する。また、受信部１５１は、データに対する応答情報を端末４００から受信する。
【０１８５】
スケジューラ部１２０は、端末４００から受信した第１の周波数帯域における品質情報と、端末４００から受信した第１の周波数帯域に含まれるＲＢＧに対する応答情報であって、該応答情報の第１の期間における受信回数とに基づいて、端末４００に対してＲＢＧを割当てるか否かを決定する。送信部１５０は、割当結果を示す制御情報を端末４００へ送信する。
【０１８６】
このように、本第２の実施の形態では、基地局１００は、品質情報と受信回数に基づいて、端末４００に対するＲＢＧの割り当てを決定している。したがって、品質情報の報告周期を従来よりも短くすることなく、ＲＢＧの割り当てが可能となり、端末４００から基地局１００への上り回線において品質情報の送信回数が従来よりも多くなることはない。よって、上り回線のスループットの低下を防止することができる。
【０１８７】
また、基地局１００は品質情報だけではなく受信回数に基づいてＲＢＧの割り当てを行っている。この場合、例えば、ＲＢＧの割り当て時間が品質情報の受信時刻よりも相当期間経過しているときは、基地局１００は受信回数に基づいてＲＢＧの割り当てを行うことも可能となる。又は、ＲＢＧの割り当て時間が品質情報の受信時刻から相当期間経過していないときは、品質情報に基づいてＲＢＧの割り当てを行うことも可能となる。品質情報と受信回数については、例えば、基地局１００は品質情報の受信時刻からの経過時間に応じた重み付けを行い、重み付けした品質情報と受信回数に応じてＲＢＧの割り当てを行うことも可能となる。したがって、基地局１００は、端末４００との間の無線区間における無線品質に応じたＲＢＧの割り当てが可能となる。
【０１８８】
以上から、基地局１００は端末４００に最適なリソースの割り当てが可能となる。
【０１８９】
［その他の実施の形態］
第１の実施の形態では、基地局１００は、ＡＣＫカウンタ１３０の演算の際に、現時点から１サブバンド報告周期前までに受信したＡＣＫやＮＡＣＫの受信回数を計算し、当該周期より前に受信したＡＣＫについては考慮しない例について説明した（例えば図１１のＳ６４）。例えば、基地局１００は、２サブバンド報告周期前までに受信したＡＣＫの受信回数を計算に含めてもよいし、３サブバンド報告周期前までに受信したＡＣＫの受信回数を計算に含めてもよい。基地局１００は、例えば、現時点（例えばＲＢＧの割り当て時）から所定期間前に受信したＡＣＫやＮＡＣＫの受信回数を考慮して計算すればよい。
【０１９０】
以上まとめると付記のようになる。
【０１９１】
（付記１）
端末装置と無線通信を行う基地局装置において、
参照信号とデータとを前記端末装置へ送信する送信部と、
前記参照信号に基づいて前記端末装置において測定された無線品質を示す品質情報と、前記データに対する応答情報とを、前記端末装置から受信する受信部と、
前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループを割当てるか否かを決定するスケジューラ部とを備え、
前記送信部は割当結果を含む制御情報を前記端末装置へ送信することを特徴とする基地局装置。
【０１９２】
（付記２）
前記スケジューラ部は、前記第１の期間において、前記端末装置において前記データを正しく正常に受信できなかったことを示す否定応答情報を受信したとき、前記端末装置において前記データを正しく受信したことを示す肯定応答情報の受信回数のカウント結果を「０」にするカウント部を備え、
前記カウント部は、前記肯定応答情報の受信回数のカウント結果を、前記応答情報の受信回数としてカウントすることを特徴とする付記１記載の基地局装置。
【０１９３】
（付記３）
前記スケジューラ部は、前記第１の期間において、前記端末装置において前記データを正常に受信できなかったことを示す否定応答情報を受信したとき、前記端末装置において前記データを正しく受信したことを示す肯定応答情報の受信回数のカウント結果をデクリメントするカウント部を備え、
前記カウント部は、前記肯定応答情報の受信回数のカウント結果を、前記応答情報の受信回数としてカウントすることを特徴とする付記１記載の基地局装置。
【０１９４】
（付記４）
前記スケジューラ部は、前記第１の期間において、前記端末装置において前記データを正しく受信できなかったことを示す否定応答情報を連続して受信したとき、前記端末装置において前記データを正しく受信したことを示す肯定応答情報の受信回数のカウント結果に対して連続して受信した前記否定応答情報の受信回数を減算するカウント部を備え、
前記カウント部は、前記肯定応答情報の受信回数のカウント結果を、前記応答情報の受信回数としてカウントすることを特徴とする付記１記載の基地局装置。
【０１９５】
（付記５）
前記スケジューラ部は、前記第１の期間において、前記端末装置において前記データを正しく受信できなかったことを示す否定応答情報を連続して閾値より多く受信したとき、前記端末装置において前記データを正しく受信したことを示す肯定応答情報の受信回数のカウント結果を「０」にするカウント部を備え、
前記カウント部は、前記肯定応答情報の受信回数のカウント結果を、前記応答情報の受信回数としてカウントすることを特徴とする付記１記載の基地局装置。
【０１９６】
（付記６）
前記スケジューラ部は、前記品質情報と前記受信回数に対して前記品質情報を受信したときからの経過時間に応じて重み付けを行う第１の優先度処理部を備え、
前記スケジューラ部は、重み付けされた前記品質情報と前記受信回数に基づいて、前記端末装置に対して前記リソースブロックグループを割り当てることを特徴とする付記１記載の基地局装置。
【０１９７】
（付記７）
前記第１の優先度処理部は、前記品質情報に対して、前記経過時間が経過すればするほど小さくなる第１の重み付け値で重み付けし、前記受信回数に対して、前記経過時間が経過すればするほど大きくなる第２の重み付け値で重み付けを行うことを特徴とする付記６記載の基地局装置。
【０１９８】
（付記８）
前記第１の優先度処理部は、重み付けした前記品質情報と前記受信回数を前記端末装置毎に加算した第１の優先度を計算し、
前記スケジューラ部は、前記第１の優先度の大きい前記端末装置から順番に前記端末装置に対して前記リソースブロックグループを割り当てることを特徴とする付記６記載の基地局装置。
【０１９９】
（付記９）
前記第１の優先度処理部は、システム周波数帯域である前記第１の周波数帯域における品質情報と、前記リソースブロックグループ毎の前記受信回数を前記第１の周波数帯域に含まれる全前記リソースブロックグループ分加算した加算結果とに対して、重み付けを行い、重み付けした前記品質情報と前記加算結果を前記端末装置毎に加算した前記第１の優先度を計算することを特徴とする付記６記載の基地局装置。
【０２００】
（付記１０）
前記スケジューラ部は、前記第１の優先度の大きい前記端末装置から順番に、前記第１の周波数帯域における前記品質情報と、前記リソースブロックグループ毎の前記受信回数とに対して、前記品質情報を受信したときからの経過時間に応じて重み付けを行う第２の優先度処理部を備え、
前記スケジューラ部は、重み付けされた前記品質情報と前記受信回数に基づいて、前記端末装置に対して前記リソースブロックグループを割り当てることを特徴とする付記８記載の基地局装置。
【０２０１】
（付記１１）
前記第２の優先度処理部は、前記品質情報に対して、前記経過時間が経過すればするほど小さくなる第３の重み付け値で重み付けし、前記受信回数に対して、前記経過時間が経過すればするほど大きくなる第４の重み付け値で重み付けを行うことを特徴とする付記１０記載の基地局装置。
【０２０２】
（付記１２）
前記第２の優先度処理部は、重み付けした前記品質情報と前記受信回数を加算した第２の優先度を計算し、
前記スケジューラ部は、前記第１の優先度の大きい前記端末装置から順番に、かつ、前記第２の優先度の大きい前記リソースブロックから順番に、前記端末装置に対して当該リソースブロックを割り当てることを特徴とする付記１０記載の基地局装置。
【０２０３】
（付記１３）
前記第２の優先度処理部は、システム周波数帯域を分割した各周波数帯域を示す前記第１の周波数帯域における前記品質情報と、前記リソースブロックグループ毎の前記受信回数を前記第１の周波数帯域に含まれる全前記リソースブロックグループ分加算した加算結果とに対して、重み付けを行い、重み付けした前記品質情報と前記加算結果を加算した前記第２の優先度を計算することを特徴とする付記１２記載の基地局装置。
【０２０４】
（付記１４）
前記第２の優先度処理部は、前記第１の優先度の小さい前記端末装置から順番に、前記第１の周波数帯域における前記品質情報と、前記リソースブロックグループ毎の前記受信回数とに対して、前記品質情報を受信したときからの経過時間に応じて重み付けを行う第２の優先度処理部を備え、
前記スケジューラ部は、重み付けされた前記品質情報と前記受信回数に基づいて、前記端末装置に対して前記リソースブロックグループを割り当てることを特徴とする付記８記載の基地局装置。
【０２０５】
（付記１５）
送信部と、受信部、及びスケジューラ部を有し、端末装置と無線通信を行う基地局装置における無線リソース割当方法であって、
前記送信部により、参照信号とデータとを前記端末装置へ送信し、
前記受信部により、前記参照信号に基づいて前記端末装置において測定された無線品質を示す品質情報と、前記データに対する応答情報とを、前記端末装置から受信し、
前記スケジューラ部により、前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループを割当てるか否かを決定し、
前記送信部により、割当結果を含む制御情報を前記端末装置へ送信する、
ことを特徴とする無線リソース割当方法。
【０２０６】
（付記１６）
基地局装置と無線通信を行う端末装置において、
前記基地局装置から送信された参照信号とデータとを受信する受信部と、
前記参照信号に基づいて測定した無線品質を示す品質情報と、前記データに対する応答情報とを送信する送信部とを備え、
前記受信部は、前記基地局装置において、前記端末装置から受信した第１の周波数帯域における前記品質情報と、前記端末装置から受信した前記第１の周波数帯域に含まれるリソースブロックグループに対する前記応答情報の第１の期間における受信回数とに基づいて、前記端末装置に対して前記リソースブロックグループの割当て結果を含む制御情報を生成し、前記基地局装置から送信された前記制御情報を受信することを特徴とする端末装置。
【符号の説明】
【０２０７】
１０：無線通信システム                １００：無線基地局装置
１０１，１０２，１０３：ＣＰＵ        １０５，１０６，１０７：メモリ
１１０：Ｌａｙｅｒ２処理部            １１１：ＰＤＣＰレイヤ処理部
１１２：バッファ管理部                １１３：バッファ
１１４：ＲＬＣレイヤ処理部            １２０：スケジューラ部
１２１：送信ＵＥ選択部                １２２：ＵＥ優先度処理部
１２３：ＲＢＧ優先度処理部            １２４：ＲＢＧ割り当て部
１２５：ＭＣＳ選択部                  １２６：ＣＱＩ処理部
１２７：ＣＱＩメモリ                  １２８：ＡＣＫ／ＮＡＣＫ処理部
１２９：ＡＣＫ／ＮＡＣＫカウント部    １３０：ＡＣＫカウンタ
１３１：連続ＮＡＣＫカウンタ          １３２：ＡＣＫ履歴テーブル
１４０：Ｌａｙｅｒ１処理部            １４１：ＭＡＣレイヤ処理部
１４２：符号化処理部                  １４３：変調部
１４４：復調部                        １４５：復号化処理部
１４６：ＣＱＩ判定部                  １４７：ＡＣＫ／ＮＡＣＫ判定部
１５０：送信部                        １５１：受信部
２００：無線装置                      ３００−１，３００−２：アンテナ
４００：端末装置                      ４０１−１，４０１−２：アンテナ
４０５，４０６：ＣＰＵ                ４０８，４０９：メモリ
【図１】
2018142900.tif 000010
【図２】
2018142900.tif 000011
【図３】
2018142900.tif 000012
【図４】
2018142900.tif 000013
【図５】
2018142900.tif 000014
【図６】
2018142900.tif 000015
【図７】
2018142900.tif 000016
【図８】
2018142900.tif 000017
【図９】
2018142900.tif 000018
【図１０】
2018142900.tif 000019
【図１１】
2018142900.tif 000020
【図１２】
2018142900.tif 000021
【図１３】
2018142900.tif 000022
【図１４】
2018142900.tif 000023
【図１５】
2018142900.tif 000024
【図１６】
2018142900.tif 000025
【図１７】
2018142900.tif 000026
【図１８】
2018142900.tif 000027
【図１９】
2018142900.tif 000028